(57)【要約】      （修正有）【課題】内部に収容される果菜類の特性に応じて新鮮度と成熟度を調整することができ、外部からの異物の流入を防止できる果菜類用ビニル包装材を提供する。【解決手段】果物または野菜のような果菜類を内部に収容して一側面に通気ホールが形成される袋、および一側面に粘着剤が塗布されて前記通気ホールを閉鎖するように前記袋の一側面に付着される密閉ステッカー、を含む果菜類用ビニル包装材。前記袋はジッパーでもって開封される。【選択図】図１
2020152448.tif 000002
【特許請求の範囲】
【請求項１】
果物または野菜のような果菜類を内部に収容して一側面に通気ホールが形成される袋；および
一側面に粘着剤が塗布されて前記通気ホールを閉鎖するように前記袋の一側面に付着される密閉ステッカー；を含む、果菜類用ビニル包装材。
【請求項２】
前記通気ホールは０．１μｍ〜０．５μｍの直径を有するように形成される、請求項１に記載の果菜類用ビニル包装材。
【請求項３】
前記通気ホールは複数個が１個の群集であって、前記袋の一側面に多数個の群集で形成され、
前記密閉ステッカーはそれぞれの群集に付着されるように多数個が前記袋の一側面に付着される、請求項２に記載の果菜類用ビニル包装材。
【請求項４】
前記通気ホールが形成する群集はそれぞれ前記袋の一側面のうち０．５ｃｍ２〜１．５ｃｍ２内の面積内で形成される、請求項３に記載の果菜類用ビニル包装材。
【請求項５】
前記袋はジッパーでもって開閉される、請求項１に記載の果菜類用ビニル包装材。
【請求項６】
前記袋に収容された果菜類に関する前記通気ホールの開閉情報が記載されて、前記袋の一側面または他側面に付着される情報ステッカーをさらに含む、請求項１に記載の果菜類用ビニル包装材。
【発明の詳細な説明】
【技術分野】
【０００１】
本発明は保存特性に応じて果物または野菜を効果的に収容可能な果菜類用ビニル包装材に関する。
【背景技術】
【０００２】
通常、果物または野菜（以下、果菜類）を収穫して消費者に伝達するために、メッシュ型包装材とビニル包装材が使われている。
【０００３】
このうちビニル包装材は果菜類を外部の異物から保護するために広く使われており、特に、最近では「そのまま摂取可能な（Ｒｅａｄｙ−Ｔｏ−Ｅａｔ、ＲＴＥ）」果菜類の製造および流通に多くの要求が増加している。
【０００４】
大韓民国公開実用新案公報第２０−１９９９−００１４７９２号（発明の名称：衛生用包装紙）も果菜類を包装するための包装袋を掲載しており、このような包装紙には新鮮度を維持するための多数個の孔が形成されている。
【０００５】
しかし、温度、湿度、空気の質のような外部的要因や果菜類の個別的な特性による内部的要因により、包装袋の孔はかえって内部に収容された果菜類の流通過程で悪影響を及ぼしかねない。
【発明の概要】
【発明が解決しようとする課題】
【０００６】
本発明は前記のような問題点を解決するために案出されたものであって、本発明の目的は内部に収容される果菜類の特性に応じて新鮮度と成熟度を調節することができ、外部からの異物の流入を防止できる果菜類用ビニル包装材を提供することにある。
【課題を解決するための手段】
【０００７】
前記目的を達成するために本発明は、果物または野菜のような果菜類を内部に収容して一側面に通気ホールが形成される袋；および一側面に粘着剤が塗布されて前記通気ホールを閉鎖するように前記袋の一側面に付着される密閉ステッカー；を含む果菜類用ビニル包装材を提供する。
【０００８】
また、前記通気ホールは０．１μｍ〜０．５μｍの直径を有するように形成され得る。
【０００９】
また、前記通気ホールは複数個が１個の群集であって、前記袋の一側面に多数個の群集で形成され、前記密閉ステッカーはそれぞれの群集に付着されるように多数個が前記袋の一側面に付着され得る。
【００１０】
また、前記通気ホールが形成する群集はそれぞれ前記袋の一側面のうち０．５ｃｍ２〜１．５ｃｍ２内の面積内で形成され得る。
【００１１】
また、前記袋はジッパーでもって開閉され得る。
【００１２】
また、前記袋に収容された果菜類に関する前記通気ホールの開閉情報が記載されて前記袋の一側面または他側面に付着される情報ステッカーをさらに含むことができる。
【発明の効果】
【００１３】
本発明は特定果菜類の情報が付着されたステッカーを見て需要者が流通期間別に袋の通気ホールを開放したり閉鎖できるため、果菜類の特性に応じて新鮮度と成熟度を調節することができ、外部からの異物の流入を効果的に防止できる。
【図面の簡単な説明】
【００１４】
【図１】本発明の実施例に係る果菜類用ビニル包装材の斜視図。
【図２】本発明の実施例に係る果菜類用ビニル包装材に収容されたバナナの外観新鮮度をテストしたグラフ。
【図３】本発明の実施例に係る果菜類用ビニル包装材に収容されたバナナの内部新鮮度をテストしたグラフ。
【発明を実施するための形態】
【００１５】
以下、本発明の好ましい実施例を添付された図面を参照して詳細に説明する。
【００１６】
特に定義されない限り、本明細書のすべての用語は当業者が理解する用語の一般的な意味と同じであり、もし、本明細書で使われた用語が当該用語の一般的な意味と衝突する場合には本明細書に使われた定義に従う。
【００１７】
ただし、以下に記述される発明は本発明の実施例を説明するためのものに過ぎず、本発明の権利範囲を限定するためのものではなく、明細書の全般にわたって同一に使われた参照番号は同じ構成要素を示す。
【００１８】
図１は、本発明の実施例に係る果菜類用ビニル包装材の斜視図である。
【００１９】
図１を参照すると、本発明の実施例に係る果菜類用ビニル包装材１００は、袋１１０および密閉ステッカー１２０を含むことができ、情報ステッカー１３０をさらに含むことができる。
【００２０】
袋１１０は果物または野菜のような果菜類を内部に収容することができ、一側面に通気ホール１１１が形成され得る。
【００２１】
このような袋１１０はビニル材質で形成され得、例えば、ＬＬＤＰＥ（Ｌｉｎｅａｒ  Ｌｏｗ  Ｄｅｎｓｉｔｙ  Ｐｏｌｙｅｔｈｙｌｅｎｅ、線形低密度ポリエチレン）のような材質で形成され得る。
【００２２】
また、前記袋１１０は内部に果菜類を収容するために内側面にジッパー部１１２を含み、ジッパーでもって開閉され得る。
【００２３】
また、前記袋１１０の内部に収容された果菜類の呼吸を考慮し外部異物の流入防止を考慮して、前記通気ホール１１１は０．１μｍ〜０．５μｍの直径を有するようにマイクロホールで形成され得る。
【００２４】
このような通気ホール１１１は対応する直径を有するマイクロニードルで前記袋１１０の一側面を貫通させて形成され得る。
【００２５】
また、収容される果菜類の特性を考慮して、前記通気ホール１１１は複数個が１個の群集であって、前記袋の一側面に多数個の群集で形成され得、これによって、より効果的な通気を図るとともに、内部への異物の流入を効果的に防止することができる。
【００２６】
また、前記通気ホール１１１が形成する群集はそれぞれ前記袋の一側面のうち０．５ｃｍ２〜１．５ｃｍ２内の面積内で形成され得、このような場合、後述する密閉ステッカー１２０はそれぞれ０．６ｃｍ２〜２ｃｍ２内の面積で形成され得る。
【００２７】
密閉ステッカー１２０は、一側面に粘着剤が塗布されて前記通気ホール１１１を閉鎖するように前記袋１１０の一側面に付着され得る。このような密閉ステッカー１２０により前記袋１１０が完全に密閉されたり一部開放され得る。
【００２８】
粘着剤は接着剤とは異なり、物体の表面に何度も付着したり離したりすることができ、このような粘着剤が塗布された前記密閉ステッカー１２０は前記袋１１０の通気ホール１１１や一側面に自由に付着され得る。
【００２９】
また、前記通気ホール１１１は複数個が前記袋１１０の一側面に形成され、前記密閉ステッカー１２０はそれぞれの前記通気ホール１１１に付着され得る。
【００３０】
また、前記通気ホール１１１が群集で形成される場合に、前記密閉ステッカー１２０はそれぞれの群集に付着されるように多数個が前記袋１１０の一側面に付着され得る。
【００３１】
前記袋１１０に収容された果菜類の特性に応じて最適な状態を維持して流通させるために、果菜類により前記密閉ステッカー１２０が前記通気ホール１１１または群集から除去されないか一部が除去されて流通され得る。
【００３２】
ここで、前記通気ホール１１１から除去された前記密閉ステッカー１２０は、前記袋１１０で通気ホール１１１の付近に付着され得る。
【００３３】
一方、本発明は前記袋１１０に収容された果菜類に関する前記通気ホール１１１の開閉情報が記載されて、前記袋１１０の一側面または他側面に付着される情報ステッカー１３０をさらに含むことができる。
【００３４】
ここで、前記通気ホール１１１の開閉情報は、前記袋１１０に収容された果菜類の種類、収穫日、賞味期限経過別密閉ステッカー１２０の除去個数、前記袋１１０に収容された果菜類の成熟度を調節するための密閉ステッカー１２０の除去個数、または前記袋１１０に収容された果菜類の新鮮度を調節するための密閉ステッカー１２０の除去個数などが表示され得る。
【００３５】
一方、前記通気ホール１１１の開閉情報は果菜類別実験データにより標準化され得、これは次の通りである。
【００３６】
図２は本発明の実施例に係る果菜類用ビニル包装材に収容されたバナナの外観新鮮度をテストしたグラフであり、図３は本発明の実施例に係る果菜類用ビニル包装材に収容されたバナナの内部新鮮度をテストしたグラフである。
【００３７】
図２および図３を参照して、バナナに対する実験結果を詳察すると次の通りである。
【００３８】
１．品種：キャベンディッシュ品種（Ｄｏｌｅ社から販売されるバナナ）
【００３９】
２．入庫日：２０１８．１１．１９．に入庫して、状態が同じであるバナナを選別
【００４０】
３．試験環境：約１８℃〜２１℃の温度が維持される環境
【００４１】
４．テストグループ
１）完全開放（２ｓｅｔ）グループ：ジッパーを完全開放した２つの果菜類用ビニル包装材１００にバナナをそれぞれ収容
２）通気ホール１１１を１個開放（２ｓｅｔ）グループ：ジッパーを完全閉鎖した２つの果菜類用ビニル包装材１００にバナナをそれぞれ収容して通気ホール１１１は一個のみ開放
３）通気ホール１１１を２個開放（２ｓｅｔ）グループ：ジッパーを完全閉鎖した２つの果菜類用ビニル包装材１００にバナナをそれぞれ収容して通気ホール１１１は２つのみ開放
４）通気ホール１１１を３個開放（２ｓｅｔ）グループ：ジッパーを完全閉鎖した２つの果菜類用ビニル包装材１００にバナナをそれぞれ収容して通気ホール１１１は３個のみ開放
５）通気ホール１１１を４個開放（２ｓｅｔ）グループ：ジッパーを完全閉鎖した２つの果菜類用ビニル包装材１００にバナナをそれぞれ収容して通気ホール１１１は４個のみ開放
６）通気ホール１１１を５個開放（２ｓｅｔ）グループ：ジッパーを完全閉鎖した２つの果菜類用ビニル包装材１００にバナナをそれぞれ収容して通気ホール１１１は５個のみ開放
７）密閉（２ｓｅｔ）グループ：ジッパーおよび通気ホール１１１をすべて閉鎖した２つの果菜類用ビニル包装材１００にバナナを収容
【００４２】
５．時間の経過による外観新鮮度および内部新鮮度
１）実験は２０１８．１１．２８．に開始したし、４日経過後である２０１８．１２．０１．に完全開放グループのバナナが非常に徐々に褐変現象が進行された。
２）５日経過後である２０１８．１２．０２．に完全開放グループのバナナが明確に褐変現象（黒い斑点）が進行された。
３）６日経過後である２０１８．１２．０３．に通気ホール１１１が５個開放グループのバナナが明確に褐変現象（黒い斑点）が進行された。
４）７日経過後である２０１８．１２．０４．に通気ホール１１１が４個開放グループのバナナが明確に褐変現象（黒い斑点）が進行された。
５）８日経過後である２０１８．１２．０５．に通気ホール１１１が５個開放グループのバナナと通気ホール１１１が４個開放グループのバナナが肉眼で緩んだ部分と推定される部分が発見された。
６）９日経過後である２０１８．１２．０６．に密閉グループのバナナを除いてすべてのグループのバナナで明確に褐変現象（黒い斑点）が進行された。
７）１０日経過後である２０１８．１２．０７．にはすべてのグループのバナナの外観色相が濃くなり、褐変現象が進行された。
８）１２日経過後である２０１８．１２．０９．にはそれぞれのグループで１ｓｅｔずつバナナの切断面を確認したし、完全密閉されたグループのバナナは５０％程度緩んだ部分が発生したし、通気ホール１１１が２つグループのバナナは約１０％の緩んだ部分が確認されたし、残りは緩んだ部分が見えなかった。
９）１３日経過後である２０１８．１２．１０．にはそれぞれのテストグループで、残りの１ｓｅｔのバナナの切断面を確認したし、密閉グループのバナナと通気ホール１１１が３個〜５個グループの収容されたバナナは約６０％程度緩んだ部分が発生したし、通気ホール１１１が２つグループのバナナは約１０％の緩んだ部分が確認されたし、通気ホール１１１が一つグループのバナナは約２０％の緩んだ部分が確認されたし、完全開放グループのバナナは約５％の緩んだ部分が確認された。
【００４３】
すなわち、図２のように、バナナの外観新鮮度は密閉力が高いほど時間経過に有利であり、図３のようにバナナの内部新鮮度は開放がよくできるほど時間経過に有利である。
【００４４】
したがって、バナナを収容するために使われる時、本発明の実施例に係る果菜類用ビニル包装材１００は次のように使用され得、このような情報は前記情報ステッカー１３０に記載され得る。
【００４５】
一般的な場合、通気ホール１１１を一つまたは２つのみ開放したまま流通した時に外観新鮮度と内部新鮮度がよく維持されるので、バナナを収容して流通時にこのような状態で発売する。
【００４６】
消費者は購入したバナナを食べたい日付に合わせて密閉ステッカー１２０を通気ホール１１１から離したり付着させて、バナナの新鮮度を調節することができる。
【００４７】
このような試験により、保管される果菜類に適合するように前記通気ホール１１１を群集の形態で前記袋１１０に形成してもよい。
【００４８】
また、前記袋１１０の内部には前記通気ホール１１１と対向しないマイクロホールが形成された内部袋（図示されず）がさらに配置され得る。
【００４９】
このような場合、前記通気ホール１１１とマイクロホールは互いに交差して配置されて、前記袋１１０と内部袋の内外に空気がラビリンス構造で流動するため、外部からの異物の流入がさらに効果的に遮断され得る。
【００５０】
要するに、本発明は果菜類の個別的な特性に応じて流通および消費過程で新鮮度と成熟度を調節することができ、微細孔によって外部異物の内部への流入が遮断されて、そのまま摂取が可能な果菜類用ビニル包装材１００を提供することができる。
【００５１】
以上、前記説明によって、当業者であれば本発明の技術的思想を逸脱しない範囲で多様な変更および修正ができることが分かるであろうし、本発明の技術的範囲は実施例に記載された内容に限定されず、特許請求の範囲およびそれと均等な範囲によって定められるべきである。
【符号の説明】
【００５２】
１００：果菜類用ビニル包装材
１１０：袋
１１１：通気ホール
１１２：ジッパー部
１２０：密閉ステッカー
１３０：情報ステッカー
【図１】
2020152448.tif 000003
【図２】
2020152448.tif 000004
【図３】
2020152448.tif 000005